(57)【要約】      （修正有）【課題】ビール瓶の王冠栓のように、一旦明けると元に戻せないペットボトル用栓の提供。【解決手段】プラスチック瓶の口を、アルミ製の引っ掛け庇や引っ張り輪を設けた王冠栓口に、或いはプラスチック製の庇付きキャップを被せることにしたプラスチック・プルトップ口にして、一旦明けた口は栓や蓋で以て元の形に戻らないように工夫した。【選択図】なし【特許請求の範囲】
【請求項１】
王冠栓（瓶の栓と口金）の王冠（口金）を、従来の鋼鉄製に代えて、栓抜きを用いなくても明けうるようにする為の、指先を引っ掛けて上に向かって剥ぎ明ける庇（ひさし、即ち野球帽におけるｐｅａｋやｖｉｓｏｒのような）を設けたアルミニウム製として、比較的に弱い圧力でプラスチック瓶の口にでさえ圧嵌しうるようにした、「アルミニウム製庇付き王冠栓（ａｌｍｉｎｕｍ  ｖｉｓｏｒｐｕｌｌ（ｏｒ  ｐｅａｋｐｕｌｌ）−ｃｒｏｗｎｔｏｐ）」。
なお、この王冠栓と言うものでは、内栓（ｇａｓｋｅｔ）が本来の栓機能を果たし、それを圧迫して密着させる機能を果たしているものが口金の王冠である。従って、王冠そのものには気密保持機能は無くても宜しい。従って、「庇付き」にする場合にも、内栓を十分に押付けて気密性を保持して居りさえすれば宜しい訳であるから、その範囲内では、栓抜き（ｐｕｌｌ）機能は幾ら良くしても宜しい訳である。
【請求項２】
「請求項１」における「アルミニウム製庇付き王冠栓」における「庇」に代えて、引っ張り輪を設けた王冠栓、即ち「アルミニウム製輪付き王冠栓（ａｌｍｉｎｕｍ  ｒｉｎｇｐｕｌｌ−ｃｒｏｗｎｔｏｐ）」。
【請求項３】
プラスチックのプルトップ口栓にプラスチックの螺子蓋をした、例えば、醤油ＰＥＴボトルがある。また、プラスチックのプルトップ口栓に連結プラスチックキャップ蓋を設けた、例えば、食用油ＰＥＴボトルがある。これらの口栓は注ぎ口に成るように工夫がしてある。それらの螺子蓋と連結キャップ蓋に代え又注ぎ口の工夫を廃して、明け易くする為の「鍔あるいは庇」を設けた「プラスチックキャップ蓋」を被せることにした、「鍔あるいは庇付きプラスチックキャップ蓋付きプラスチック・プルトップ口栓プラスチック瓶（ｐｌａｓｔｉｃ  ｐｅａｋｅｄ  ｃａｐ−ｐｅｄ  ｐｕｌｌ−ｔｏｐ−ｐｅｄ  ｐｌａｓｔｉｃ  ｂｏｔｔｌｅ）」。
【請求項４】
「請求項３」における「鍔あるいは庇付きプラスチックキャップ蓋付きプラスチック・プルトップ口栓プラスチック瓶」における「鍔あるいは庇付きプラスチックキャップ蓋」に代えて「アルミニウム製庇付き王冠」を用いることにした、「アルミニウム製庇付き王冠被せプラスチック・プルトップ口栓プラスチック瓶（ａｉｍｉｎｕｍ  ｐｅａｋｅｄ  ｃｒｏｗｎｃａｐ−ｐｅｄ  ｐｕｌｌ−ｔｏｐ−ｐｅｄ  ｐｌａｓｔｉｃ  ｂｏｔｔｌｅ）」。
【発明の詳細な説明】
【発明の詳細な説明】
【９００００００００１】  ＰＥＴボトルの飲料を飲む度に直面するのであるが、蓋は一旦明けられて再び閉められたものではないかと言う不安である。  従って、市販される食品の特に飲料の容器の栓や蓋と言うものは、一旦明けると再び元通りの栓や蓋として閉め直すことの出来ないもので無くてはならないことが段々と判って来た。昔のビール瓶の王冠栓やワイン瓶のコル栓やウイスキー瓶の封蝋栓などはその要請に忠実に応えて居たものであることに気づく。  従って、ＰＥＴボトルの螺子栓は一旦明けて又閉めても見た所では全く変化が現れないので、これは不適格品と言わなくては成らない。  もう１年以上も従来に無いグッドアイディアは無いかと時折挑戦して来たが、特別な物を発明できずに居た。  しかし、何回も何回も店頭は疎か留守に自宅に侵入して迄も蓋を一旦明けては閉じて新案を迫るグループがあるので、卓越した新案とは言えないかも知れないが、ここに提案して見る。    私は、アルミニウムで以て王冠栓を作れば、ペットボトルにも使用できるのでは無いかと気づいた。  将来の鉄の王冠栓は、よく考えて見れば、今日のようにアルミが普及していない時代の発明であった。アルミが窓枠にまで使用されるようになって久しい今日でも、鉄に拘わり続けていた所により広い世界を見出せなかった原因があると思える。  従って、王冠栓をする相手はビール瓶とか清酒瓶とかの可なり強度の強い物で無くては成らないと思われて居たらしい。もっとよく考察して見ると、それが発明された当時のガラス瓶の口は現在のように均一な大きさに製造できる技術の無かった時代の物であった。そのばらつきを乗り越えた王冠栓とするには、きつ目な物を強圧で以て押し嵌める以外に無く、それに耐える弾力的強度が要求されたに違いない。  今日では、ガラス瓶にしてもプラスチック瓶にしも成型精度は相当なものでばらつきを気にしなくては成らないようなことは全く無い。従って、王冠素材の弾力的硬度はアルミでも宜しいと考える。  成型も楽だし、装着も楽である。プラスチック瓶には、瓶に別途に製造した栓用の口を取り付けているのであるが、それが瓶の首より鍔張りしているので、首を挟んでその鍔張りを支えて、王冠栓を圧嵌すればよく難なく作業できよう。  王冠栓では無いが、ずっと以前からオロナミンＣドリンク・ガラス瓶にはアルミの巻き締め型のプルトップ栓が使用されて来た。また、極く最近ビール瓶にも使用されて居る。ただ、これらは、店頭で冷蔵販売される物で、またどうも炭酸ガスの含有量か少ないらしく、どうやら持てゝ居るようであるが、今以上に与件がきつく成ると今のままでは耐えられまい。巻き締めを深くする必要がある。ガラス瓶の口の鍔を深くしうれば、プラスチックよりは相当強度が強いので、あるいは可能かも知れない。しかし、圧嵌に比べると巻き締めは作業機械が複雑になろう。  そこで、王冠栓をアルミニウムにすれば、従来の寸法のままで、プルトップ栓としうるのでは無いかと色々考えた末思うようになった。アルミは柔らかいので、栓抜きで捏ねなくてもｐｕｌｌを引っ張れば明くのでは無いかと思われる。  私は、２０年も前から飲料缶のプルトップの明け難さを改善したく、新案も提出しているのであるが、廉価に対策できない。そこで��昔の飲料缶のようにｐｕｌｌ−ｔｏｐにしない物に戻したらと思う。昔の鉄製は軟鉄度が低く硬くて、添付されている穴明けを用いると明けた反動で中身が飛び出すようなこともあり、不満足な物であった。しかし、今日では、鉄缶もアルミ缶に匹敵する程軟らかくなっているので、保存期間の短い飲料缶などには向いて来て居るのでは無いかと思われるので、ｎｏｎ−ｐｕｌｌ缶も宜しいと思われる。  私は、近年入れ歯の程度が高くなり、肉や果物などの硬いものは鋏かナイフで小切って食べないと上手く噛めない。鋏とナイフの納まる折り畳み式ナイフが欲しくて堪らないで居た。それに加えて、飲料缶の飲み口明けと王冠栓抜きを一緒にした栓抜きをも、設けた物が今は欲しくなった。このポケットナイフを普及させれば、昔のように、飲み口明けを添え付けることも段々必要なく成って行こう。  この栓抜きは、板の先を嘴状にし支点フックをプレスで以て切り押し出した飲み口明けと、そしてその板の側に王冠抜きを抜き取った物にしたい。  高級な物は、鞘に七宝を施した物も好ましい。私は、造幣局の七宝キーホルダーを使用しているが、この電磁波と紐に苦しめられる殺伐な生活環境に使用の度に温もりを与えたくれる。七宝鞘のポケットナイフもきっと同じ効果を多くの国民に特に電磁波か薬物で以て歯を悪くされた方には与えることであろう。  造幣局は、１１月１日から諭吉と英世と一葉との新札を出したとか言う。余りにも国民の総意を馬鹿にした図柄であり、職員は挙げて毎日不快な思いを押付けられて居たことであろう。私は、政府の当事者では無いので、この国民の傷心を直ちに直すことは出来ないが、ナイフでなりとで、きりっと高尚な大和魂を国民に蘇らせる仕事を、造幣局にして貰おうと思っている。  需要の選択が政府にだけ握られている仕事だけでは、国民に広く受け入れられ無い存在と成る。今日に近づけば近づく程、政府の偏狭振りは酷くなるばかりであった。極く、近年では、政府は国民の意志とは関係なく出現して居るらしく、国民の意志を全く尊重する姿勢が無くなった。従って、政府が広く国民から尊敬されることは少なく、逆に馬鹿にされることが多く成ったらしく、広くは国民に対して疎外された反感を持つように成って居るらしい。これ見たかこれ見たかと、国民の健全性を破壊すべく、無学な野蛮性を押付けては、国民を苛立てて反抗心を充たしている風に見えるからである。  なお、本日発想したのであるが、公職選挙の投票を「選挙管理委員会発行の投票シール」を投票用紙に投票者が貼付することで以て行なうシステムにしてはと考えた。まだ、しっかりとシステム化している訳ではないが、私のこの発明の特許出願者識別番号のような番号を投票者に全て割り当てその番号を印字したシールを投票受付口で通知はがきと引き換えに手渡し、それを、例えば、投票用紙のケリーとブッシュの二つの枠のどちらかに貼付して貰うようにするのである。  これを集計する場合には、総票を先ずケリー派の集計機に掛けてケリー票とブッシュ票とを集計し、そして次ぎに、その総票を再びブッシュ派の集計機に掛けてブッシュ票とケリー票とを集計して、両派の集計機の集計結果を突き合わせて確認して選管確認投票数として正式発表するようにする。  この投票シール���印刷は、民間では無理なので、造幣局でやって貰うことになろう。心に添わない新札印刷に屈従しなくては成らなかったカード時代の強要を吹き飛ばして貰えよう。  そして、現在、大統領選において、フロリダ州で使用されていると言う「電子投票機の不確認性」を吹き飛ばす大ヒット投票システムとして全世界に受け入れられる機械システムに完成させたいと意気込んで居る。  この前読んだ、ヘンリー・フオード一世の「今日と明日」には、彼が先ず「投票機械システム」の発明の成功から自動車産業進出の機会を掴んだとあった。私が生まれる前の７０年も前から、健全無比の投票機械システムは、公正明朗な自由民主主義体制の維持には何よりも必要な物であったのである。  無記名式で有りながら、成そうと努めれば、誰もが投票集計結果の正しさを確認できるシステムに完成して行くのが誰もが望む理想である。このシール貼付システムに投票と同時にその貼付投票用紙のそっくりそのままのコピーが発行されるようにし、万一の場合には、地域住民がその集計に参加しなくては成らないことにして置くことは、今日のような世界的広がりで以て、不正当選者の続出している事態の歯止めには絶対に必要なことである。  しかし、健全な民主主義に是非とも必要なことは「職業的政治家家系」たろうとする現代政治家の封建的欲求を絶対に認めては成らないことである。それには、大統領と同じように、議員にも在任期間を設けることである。私は１２年くらいが宜しかろうと考えている。  ギリシャにおいて発祥した民主主義は「愚民主義」に堕落して崩壊したと言われている。従来、全体主義者はこの民主主義の弱点を極めて強く主張して居た。しかし、ナチ主義者が民主主義手段で以て全体主義を体制化したことから、全体主義者の主張は、日本共産党の政権構想にも見られる如く、愚民主義過程において或いはそれを経て独裁体制を確立して行く主義に発展してしまった。  ブッシュ政権を先頭に彼らは決して民主主義を否定して全体主義を強調することは無い。しかし、武器産業にその政権の存在基盤を持つ以上どうしても全体主義化の要請を払拭して仕舞うことは不可能である。  その要請つまり全体主義化には、アメリカの歴代の殆どの大統領が健全な民主主義を愚民主義化することで以て応えて来た。愚民主義には、現実的な平等要求思想を絶対不可欠に必要とする。  最低線は、誰にも平等に無条件で法的保障を与えるが、それ以上は本人の努力次第と言うのが、軍事的独裁による全体主義経済発展主義者に対する「自由民主主義的経済発展主義者」の最大公約的主張である。  この主張を我々健全自由民主主義者は、同和対策の徐々な浸透政策で以て完全に等閑視させられて仕舞った。この健全主義の主柱の中小企業資本家が同和対策の不労所得性にすっかり冒涜されて仕舞い、終には、同和対策なくしては存立不能に陥没させられて仕舞ったのである。  今や、私出ざりせば、自由民主主義の下の努力競争による「よりビッグに」を競う人間本来の生き甲斐を全く忘却放棄させられたままで、軍事政権下の軍事物資の生産にそのもたらす結果には盲目的に盲従しさえするしかなくなって仕舞っていたに違いない。  水平同和思想の目指す所は正にここに有るのであって、それを阻止できるものは歴史的に見て、エネルギー特に石油の枯渇化以外にないことは明らかである。  しかし、本質的に見て、戦争が結果する所は、経済的な廃虚であり、そこに追い込まれることに対する恐怖は、どこにも富を隠匿する力の無かった一般国民には、耐えがたいものである。  その意味では、石油の枯渇化現象は、一般国民の戦争化と言う恐怖の極大化を緩和するものであった。地球温暖化を吹いて石油枯渇化時代を引き延ばし、いよいよ同和主義の最後の仕上げとして、最終決戦主義で以て軍事経済体制に突入させようとして居た。マルキシズムとナチズムとの共同作戦の様を呈していた。  社会主義が共産主義への一里塚である如く、同和主義は国家社会主義への一理塚であることは、歴史的に証明されている。横文字で言えば、Ｓｏｃｉａｌ−ｉｎｔｅｇｒａｔｉｏｎｉｓｍ  ｆｏｒ  ｔｏｔａｌｉｔａｒｉａｎｉｓｍ  である。  根本的な問題は、生産の三要素である土地・資本・労働の内土地所有を如何にするかにある。共産主義では共産の対象は、労働対象（原料・補助材料など）と労働手段（道具・機械・建物など）とであり、土地は含まれていない。しかし、全体主義では、「個人は全体を構成する部分であるとし、個人の一切の活動は、全体の成長・発展の為に行なわれなくては成らないと言う思想または体制」と定義されているので、土地の所有は否定されないまでも所有権者としての自由は一切なく、国家が思いのままにすると言う在り方であろう。  ナチスの憲法その他をしっかり研究して見なくては成らないが、短絡すれば、政府構成者が全てを国家への奉仕者として自在に出来ると言うのであるから、政府構成要員となる競争だけが生きる全てとなり、地位争奪戦争のみに全体が巻き込まれ、終には地位に就いては戦争相手を粛清しては又相手に地位を取られては粛清されると言う「中世的戦国時代」を想定していると言えることに成ろう。  現在を直視すれば、斯かる様相は相当深刻である。権利の侵害に対しては早め早めに告訴・告発して、法律的無知を突かれて侵奪をほしいままにされては成らない。  虚構の大きさに惑わされ無い健全な訴訟手続きを代行してくれる良心が一般国民の為には絶対に必要である。これまで、その良心は貧しい生まれ育ちの人に多分に存在すると広く思われて来た。しかし、事実は全く逆であることが、こうして支配者をも含めて世間を揺すって見ると判明して来た。  犯罪性の無い貧しい人たちは、地位の人よりは所有権を持つ人を頼りにして生きる処世法を学習して見ては如何であろうか。確かに、憲法には、政府は国民の奉仕者であると記されている。従って、何事にも政府は奉仕者として対応してくれなくては成らないのであるが、今日の政府は上に述べたように、同和対策時代を経過してナチズム（国家社会主義）の虜に成って仕舞っていて、国民への奉仕者思想はとっくに忘却の彼方へ放って仕舞っている。  奉仕者たれ奉仕者たれと要求すればするほど、その代償に犯罪を強要されることに成るらしいので、彼らの栄華に如何に悔しくても、歯を食いしばって彼らに近寄らないで生きれるように成らなくてはならない。  （公序良俗違反につき、不掲載）の栄誉栄華を見せつけられると、どうかしてそこから引きずり下ろしたく成ろうが、誰の演出か知らないが、敢えて無���下品の一見の美男美女を地位に就けては、国民の落ち着いた学習を拒否させ、演劇的才だけを顔に自信のある者に要求して、張り子を多産して、上に述べた格好のみで支配しうる全体社会主義国家への移行によって、石油エネルギー枯渇化下で最終決戦的経済に突入して行く愚昧を馬鹿の一つ覚えに敢行しようとしているかに見える。  しかし、私の数々のエネルギー対策としての発明によって、今や国民はその新エネルギー生産の大経済過程にこそ自由民主経済の可能性を見出しつつある。  その門口として、アメリカに新政権が誕生し、新生アメリカへの歩みを世界のそれぞれの国民が実見しうることに成ることを是非期待したい。これからの世界各国は、国民へ自由民主な経済活動を保障しようとし始めるのか、それとも、環境破壊問題を盾に何だかんだと経済活動を立法的にでは無く、エイズとかＢＳＥとかサースとか鳥インフレンザとかテロとか自然災害とかによる非人的な政府連帯で以て、共同して各政府自身の恣意の趣くままに時代を石油文明的最終決戦に向かわさせるべくふらついて居れば宜しいとするのであろうか。  この岐路を正しい方向に決定ずけるものこそ、その、正式な立法手段を不要とさせる怪しき科学者の演出する災害的緊急事態の続出主義に対する正統科学者の正論反駁力である。これ無くしては、今日の治安的には目茶苦茶な国民経済生活の在り方を、本格的な電磁波管理法を存在させて、正統に正当化することは不可能である。正統科学者の復活力を期待して止まない。  さて、現在の飲料類には殆ど全て殺菌・防腐剤が使用されていて、国民を総腹半病人にして仕舞っている。そこで、可能な物は全て熱殺菌したい。加熱に耐え然も明けるに簡単な各種蓋の需要は莫大な規模となろう。  本発明によって、今日ほどの発展普及を歴史上に見たことの無い、各種の即席飲料の安全性は、あるいは私に発明を強要していた人たちの期待に応えて、十分に達成出来るかも判らない。何か、不満とか不足とかに逢着した場合、先ず、過去の人々の英知を尋ねて見るべく、私が座右の銘的に主張して来た、古今東西を集約的に温故知新することの大切さがよく判って貰えることに成ったと思う。  未来を拓くに広く歴史的な過去と現在に学ばずして、決して新機軸や新案を発想できるものでは無い。もっと各分野の教育システムの中に公正な歴史的学習を正統に取り入れてほしい。  私の幼年時代には、あれだけ在った「それぞれの分野の歴史を拓いた人たちの公正な伝記物」が、その殆どの人たちが裕福な階層の出身であるとの理由で以て公立図書館から疎外され、延いては、書店業界からそして出版業界から排斥される結果となっている。  文豪と言われる人たちの作品の学童向けの抄訳物も全く同様な理由から読書界から排斥されて仕舞っている。  ただひとり、諭吉と一葉と英世とが裕福では無い階層の出身者であり、現代の我国読書界から誇り得る人物としての位置を与えられている。  政治家と公務員の知的水準の低下を、彼ら自身が万般的に如何に繕おうと汲々としているかの即ち同和主義を何故必要としたかの理由を端的に示す一例である。  きっと、小泉首相までも、あるいはブッシュ大統領までも、「私は赤貧の階級の出身だから」を冒頭辞とするように成るので無いかと、彼らの国民に対する無施策から思わざるを得ない。国民は今何を欲して居るかを知りながら、その対策案は自己に無く他に在り、その案に対価を支払いたく無いただそれだけの理由で、彼らはテロ対策を言い張る環境を作り続けている。  欧米の歴史を見ても、中日の歴史を見ても、その国に経済を拓き富を蓄積したものは、地主的にも資本家的にも著作家的にも、ただ一つ発明創作のみにある。この蓄積されている富を強盗するしか能力の無い者たちが政治勢力を結集できる方法はただ一つ、歴史の破壊行為に無知を同和結集することである。  中国のように長い永い歴史の国では、否比較的に歴史の浅い日本においてさえ、蛮族の台頭襲来には苦しめ続けられた。何故、蛮族が台頭する時期があるかと言うと、外国勢力がその国の富の泥棒の為に、一時その国の蛮族を手先に使うからである。  そして、その蛮族には必ずお前らは貧しき出ゆえに野蛮なのだと、非人的な戦闘力や票を同和主義を生き方する支配者候補に結集させられる。そして、飽くなき社会秩序の破壊こそ数を増殖しうる唯一の手段だと形振り構わず蛮勇をほしいままにさせられる。  何時の場合もそうであるが、その蛮勇の嵐はその国の富の蓄積を食い潰さ無くして止まったことは無い。今また、その蛮族の襲嵐は石油文明の蓄積の殆どを食い潰して仕舞った。そして、その国固有の名族の秩序維持力と生活力と指導力を崩壊させて仕舞い「国破れて山河さえ無し」の状態に成りつつある。  アメリカを見ても判るように、その国固有の名族の国家統治上の影響力は、野蛮民主主義による下層支配（マルクス流に言えばプロレタリアート独裁）の各分野への浸透によって、回復不可能なまでに崩壊している。米国軍隊にさえ正史的精神構造の伝統は残って居ないように見える。  今や、人類の人間性追求への歴史への回帰を可能とするものは、私の産業全般への発明以外には無いと言える状態である。そして、僅かでも他国より非人民主主義ずれして居なく、蛮族的嵐に対して世間ずれして居ない組織と言えば、世界的に見ても、日本の自衛隊くらいしか無いと言えよう。  それとは対蹠的に、我国の警察署からは、警察法に則って居た「防犯課」は消えて仕舞い、「生活安全課」とかに組織替えされ、愚民主義的民主主義にように世間ずれ仕舞っている。即ち、犯罪を是認する同和主義警察化して仕舞っている。公式的に、遵法精神主義の官僚・官吏としての組織を保とうとするのでは無く、国民から遵法の精神を剥奪するように舞うことで以て政治家に近い意識を持ちたいらしく、即ち犯罪行為を裁量することで地域々々の下層階級の票を集めようとして居るとしか見えない。  犯罪に厳然と対処し、治安を厳重に守ることは警察の政治力に成らないと主張する警視総監とその一派が警察組織の破壊化を以て、自己を警備会社の立法化に売り込んだのではなかろうか。あろう。厳正な公職選挙法の制定なくしては公務員の堕落と組織破壊は絶対に避けられない。上述したように、世界に先駆けて、公選上の任期を１２年に是非とも限りたい。小泉首相は口を開けば構造改革と公務員組織の民営化を主張する。確かにそのだらしなさは目に余る。しかし、彼らを堕落させている主要因は彼らに選挙支援を要請する個々の政治家の要請にある。だからと言って、完全な中立を強��することは公務員法を以てしても不可能であることは、現に証明されている。公選職の任期を限れば、公務員の生涯を一選良に負ぶさることは高級官僚以外には殆ど無くなろう。  ここに、言語に絶する戦争破壊被害を代償にやっと手にした、自由民主主義政治体制が比較的短期間に音を立てて水平同和国家社会主義へ上述したような移動を行進する真の本質がある。何が何でも、公選公務員の任期を限定しなくてはならない。  行政府と立法府の融合（ｉｎｔｅｇｒａｔｉｏｎ）を阻止し続けたいのが近代国家統治法の正統な精神である。従って、憲法を初めとする諸法規は厳しくその融合を禁止している。  この禁止法令を乗り越えて、政治家が行政府を支配することを「同和政治」と言えないことも無い。否、それこそ「同和政治の本質的な目的」である。そして、その目的の為に一般国民を巻き込んで行く過程を水平思想化と言えよう。  Ｓｏｃｉａｌ−ｉｎｔｅｇｒａｔｉｏｎとは、一握りの政治家たちを頂点とした手の施しようの無い「犯罪化社会（Ｃｒｉｍｉｎａｌ  ｓｏｃｉａｌ  ｉｎｔｅｇｒａｔｉｏｎ→ｃｒｉｍｉｎａｌ  ｃｏｍｕｎｉｔｙ  ａｎｄ  ｓｏｃｉａｔｙ）」と化したことを言う。  ソウシャリストは、戦後、軍閥と財閥との融合した悪を言い募った。治安維持法により政党活動まで禁止され、資本の社会化を主張することを厳正に禁止された政党に吠えうる思想は何一つ存在しなくなっていた。  そこまでを、端的に纏めれば、明治維新政府は、富国強兵を日本近代化の主柱に立てた。それは官営で進める以外に無かったが、多方面に大規模化するに従って、社会主義者の狙い撃ちの集中砲火を受けるに至って仕舞った。  富国強兵とは、経済造りは勿論であるが、軍備的に他国に競り勝つことに他ならない。他国の政治的干渉を受けるのは必死である。労働運動や社会主義運動が資金的に外国資本や外国国家資本に浸食されて行くことは火を見るより明らかである。戦後の高度成長期もそうであったように、それを抑えるには、私的資本の拡張と軍備充実とを絶対の必要条件とした。  明治政府が官営企業を民間に払い下げ私的資本主義に移行して行ったことは、歴史の必然であった。この方が外国からの自国防衛を強化できたのである。  実際は、それを以て、世界に冠たる巨大資本を構築したにも拘らず、社会主義者の攻撃を阻止することは中々不可能であった。  科学技術的に後進性であった財閥は、資本構築に使用した科学技術の殆どを外国の発明技術に依存していた。人間とは悲しい者で、誰しもその使用料を値切りたくなるし出来れば支払いたくなくなる。この紛争は日常茶飯事であったに違いない。結局は外国資本は、ソウシャリストだけでは足りなくなり、財閥の番頭経営者に財閥を倒して発明料を支払ってくれるのであれば、お前等を新生資本の代表経営者にしてやろうと言うことになって仕舞おう。  財閥にも軍閥にも外国発明の侵害例は膨大に登ったに違いない。とうとうこれらの破壊を一か八かの開戦を請け負う政府が誕生した。斯くて、終戦を迎え、日本経済は外国発明の完全支配下に入ったのである。勿論、財閥は影も形も無くなった、そして、番頭たちが、そして小番頭たちが、そして今では終には丁稚までもが大企業の経営者に出世し、最大の外国文明たる電磁波の支配を欲しいままにして、まやかしを押付ける役を割り当てられて得々としている。  即ち、先にも述べたように、その外国の発明支配は新興財閥を幾らも育成して日本の高度経済成長を可能にしてくれた。しかし、電子技術と称するインビジブルな技術は我国の経営者のモラルを崩壊させ、終には、紛えものを扱うだけの弥四へと転落させた。  そこははっきりしないのであるが、日本の同和主義政治家は、私に対しては間違いなく泥棒主義の加担者であるが、外国発明に対しては果たしてどうなのであろうか。外国発明を泥棒しょうと言う勢力なのか、或いは、私などから我国の発明の発想を盗ませて、吉田茂が国土の一部を放棄したように、自分たちの外国への負債を軽くしようとしているのであろうか。  人生の処世において「公正であること」に勝る安全と信頼を得る術は無い。私は、両親から「正哉」「ただしいかな」と名前を貰った。きっと両親は、私に、確信できるに至ったこと以外には心を奪われてはならないとする、人間としての正統な精神構造を期待して居たに違いない。  歴史を無視しようと呼びかける同和民主主義者の在り方は、人間の努力の蓄積を全く無視することであり、反社会的存在である。  国や国民の衰弱は栄華の反動であり、人間経済では避けることは絶対に不可能である。その衰退期の生き方にこそ何よりも人間性が要求される。他人の今の繁栄の基盤に欲を出さず、繁栄の渦中にも尚存在し続ける不満・不足・不健康の分野の解決に自己の全ての英知を傾注する努力から下降からの反転を狙うべきである。  私は、その存在を的確に発見し、それに対する自慢できる解決策を提示して、然もそれが人間性的をもたらす存在で在るところにこそ、自己と一族一党と国民国家と人類に「ナガイの夢はみんなの夢そして人類の夢」を可能としえた。  その成果は、６９歳までの人生の内４０年以上のたった一人の孤独の中の言語に絶する同和妨害のまっただ中でやり遂げた。そこに掛かった膨大な資金も殆ど自分で稼ぎ出した。この成果を得る過程は全て公開され、世界中の意欲ある精神的青年と学童学生に計算できない程の啓蒙効果を与えていると自負している。  然るに、何の足しにも成らない同和泥棒主義者がまだまだ政府を中心に諸組織に陣取っていて、私と私の発明とを疎外することのみで高給を食んでいる。この秋の文化の日にさえ文化勲章一つくれない。  それは兎も角、これからの私の国民経済造りに同和世間ずれの余りしていない自衛隊が国民精神造りを添えてくれ得るのではないかと期待している。財閥と軍閥との公正な在り方にこそ国を死守する基本がある。  ヘンリー・フオード一世が書き残しているように、平等民主主義政府と言うものは得てして国民国家の幸福を願う存在では無く、嫉妬しては、地主と資本家苛めに狂奔するものであるらしい。それは一に人間としての修養と学習に系統だった授業を受けて居ない人たちで以て構成されているからである。奔放な恣意の趣くままに生きて来ただけであるからである。「真・禅・美」の精神は人間だけの物である。フオード一世も述べているように、畜生の限りを尽くそうとする人たちばかりの政府にはその「真・善・美」の人間性が醸し出される筈が無い。  日本自衛機は日の丸を付けて飛ぶが、アメリカ空軍機は決して星��旗を付けては飛ばない。「絶対星旗」とも言えるシンボルを旗としている。日本の歴史における荘園における武士の役割を今も演じたいとしている。アメリカ軍は、決して愚かな同和盗人に同化する存在では無かったに違いない。  我国の自衛隊がアメリカ軍に倣って「絶対陽旗」を付けうる正統な公正さを獲得してくれる日を期待し祈っている。  こう言う点から見ると、中国やロシアなどのどこかに非人民主主義的に世間ずれしていない人間性「真・善・美」を保存する処女性を保ち続ける「ところ」を残して置くことは大切なことである。ロシアの空軍機はどんな旗を付けて居るのであろうか。努力あらんことを祈らずには居られない。  アメリカ流「国家社会主義民主主義」すなわち他国の或いは他人の財産と生命を盗む為に無学文盲な然もたったの昨日有権者となったその国に歴史的愛着の育って居ない大多数の流れ込み者たちを当てにした「愚民主義民主主義」派の在り方ほど今や世界の脅威は無い。つまり、歴史的社会秩序の破壊と歴史的富の略奪・暴奪とを通して愚民に富と地位を夢みさせる非人間性主義の派の脅威である。  今後また、少なし、３年間は、引き続きアメリカ的社会民主主義の嵐を呼び込もうする政府の暴風に曝され続けなくては成らないかと思うとほとほとうんざりする。  アメリカの正統自由民主主義派の人たちも、日本に公使館や商工会議所派出館を出しては貰えまいか。